(57)【要約】【課題】この発明は背上げ床部を所定の角度で容易かつ確実に停止させることができるようにした起床式ベッド装置を提供することにある。【解決手段】ベッドフレーム４と、このベッドフレームに設けられ一部が起伏可能な背上げ床部１１ａに形成された床板体１１と、この床板体の可動床部を起伏駆動する起伏駆動機構１２と、この起伏駆動機構を操作して上記背上げ床部を起伏させるリモートコントローラ２０と、このリモートコントローラの操作によって上記背上げ床部の起伏角度が所定の角度になったときに上記リモートコントローラの操作に係らず上記背上げ床部の動きを一定時間停止させる制御装置とを具備する。【選択図】　　図１
2004065315.tif 000002
【特許請求の範囲】
【請求項１】
ベッドフレームと、
このベッドフレームに設けられ一部が起伏可能な可動床部に形成された床板体と、
この床板体の可動床部を起伏駆動する起伏駆動機構と、
この起伏駆動機構を操作して上記可動床部を起伏させる操作部と、
この操作部の操作によって上記可動床部の起伏角度が所定の角度になったときに上記操作部の操作に係らず上記可動床部の動きを一定時間停止させる制御手段と、
を具備したことを特徴とする起床式ベッド装置。
【請求項２】
上記制御手段は、上記可動床部の起伏角度を検出する検出部と、この検出部によって上記可動床部が所定の角度になったことを検出したときにその検出信号が入力されるタイマ回路と、このタイマ回路からの信号によって上記操作部から上記起伏駆動機構に出力される駆動信号を上記タイマ回路に設定された時間だけ停止するゲート回路と、
を備えていることを特徴とする請求項１記載の起床式ベッド装置。
【請求項３】
上記検出部が検出する上記可動床部の角度は約３０度であることを特徴とする請求項１記載の起床式ベッド装置。
【発明の詳細な説明】
【０００１】
【発明の属する技術分野】
この発明は床板体の一部を起伏駆動させることができるようにした起床式ベッド装置に関する。
【０００２】
【従来の技術】
病人用のベッド装置においては、体力が低下した患者が食事をする場合などに上半身を起こすのを支援するために、いわゆる起床式ベッド装置が用いられる。起床式ベッド装置は、ベッドフレームの上面に設けられる床板体を、上記ベッドフレームの長手方向に対して複数の床部に分割し、そのうちの利用者の上半身に対応する部分の床部である、背上げ床部を起伏駆動機構によって起伏駆動できる構成になっている。
【０００３】
一方、長期間にわたってベッド生活をしている利用者にとっては、身体の重い部分、たとえば臀部や背部が圧迫され易いため、これらの部分に辱瘡が発生し易いということがある。
【０００４】
ところで、起床式ベッド装置において、利用者が背上げ床部によって仰臥状態から上半身を起こしてゆくと、背部に掛かる負担が徐々に軽減されてくる。上半身の起上角度が大きくなり過ぎると、上半身の重さが臀部にかかるため、臀部の負担が大きくなる。逆に上半身の起上角度が小さ過ぎると、上半身の荷重が背部にかかるため、背部に掛かる負担が軽減されることがない。
【０００５】
したがって、利用者の上半身を、利用者の臀部と背部とに掛かる負担が最も少ない角度に起こして維持することができれば、臀部や背部の辱瘡防止に効果があり、さらに辱瘡が生じている場合には痛みを軽減することができるなどのことがある。
【０００６】
従来、臀部と背部とに掛かる負担が最も少ない角度となるよう、利用者が上半身を起こすには、利用者が操作部のスイッチを押して背上げ床部を起上させ、その角度が感覚的に丁度よいと判断したならば、操作部の操作を止めて背上げ床部を所定の角度に保持するということが行なわれていた。
【０００７】
【発明が解決しようとする課題】
しかしながら、利用者の感覚で背上げ床部の角度を設定するようにすると、この背上げ床部を臀部と背部との両方に掛かる負担が最も少ない最適な角度に確実に設定することが容易でないということがあり、しかも常に一定の角度に設定することが難しいなどのことがあった。
【０００８】
この発明は、利用者の臀部と背部との両方に掛かる負担が最も少なくなる最適な角度に背上げ床部を確実かつ容易に位置決めすることができるようにした起床式ベッド装置を提供することにある。
【０００９】
【課題を解決するための手段】
請求項１の発明は、ベッドフレームと、
このベッドフレームに設けられ一部が起伏可能な可動床部に形成された床板体と、
この床板体の可動床部を起伏駆動する起伏駆動機構と、
この起伏駆動機構を操作して上記可動床部を起伏させる操作部と、
この操作部の操作によって上記可動床部の起伏角度が所定の角度になったときに上記操作部の操作に係らず上記可動床部の動きを一定時間停止させる制御手段と、
を具備したことを特徴とする起床式ベッド装置にある。
【００１０】
請求項２の発明は、上記制御手段は、上記可動床部の起伏角度を検出する検出部と、この検出部によって上記可動床部が所定の角度になったことを検出したときにその検出信号が入力されるタイマ回路と、このタイマ回路からの信号によって上記操作部から上記起伏駆動機構に出力される駆動信号を上記タイマ回路に設定された時間だけ停止するゲート回路と、
を備えていることを特徴とする請求項１記載の起床式ベッド装置にある。
【００１１】
請求項３の発明は、上記検出部が検出する上記可動床部の角度は約３０度であることを特徴とする請求項１記載の起床式ベッド装置にある。
【００１２】
この発明によれば、可動床部の角度が所定の角度になったときに、この可動床部の動きが一定時間停止するから、そのときに操作部の操作を解除すれば、可動床部を所定の角度にすることができる。
【００１３】
【発明の実施の形態】
以下、図面を参照しながらこの発明の一実施の形態を説明する。
【００１４】
図１はこの発明の一実施の形態に係る起床式ベッド装置１を示し、この起床式ベッド装置１はベースフレーム２を備えている。このベースフレーム２の四隅部には脚部材３が設けられ、この脚部材３によってベースフレーム２は所定の高さに保持されている。
【００１５】
上記ベースフレーム２上にはベッドフレーム４が設けられている。このベッドフレーム４は上下駆動機構５によって上下駆動されるようになっている。この上下駆動機構５は駆動源６及びこの駆動源６によって回動駆動される複数のリンク７を有する。各リンク７は、一端が上記ベースフレーム２に枢着され、他端が上記ベッドフレーム４に枢着されている。
【００１６】
したがって、上記駆動源６により上記リンク７が駆動されると、上記ベッドフレーム４が上記ベースフレーム２上で上下動する。
【００１７】
上記ベッドフレーム４の上面には床板体１１が載置されている。この床板１１は、可動床部としての背上げ床部１１ａ、第１の腰床部１１ｂ、第２の腰床部１１ｃ、固定床部１１ｄ、第１の脚上げ床部１１ｅ及び第２の脚上げ床部１１ｆに分割されている。隣り合う各床部は、互いに回動可能に連結され、上記固定床部１１ｄは上記ベッドフレーム４に固定されている。
【００１８】
上記ベッドフレーム４の下面側には起伏駆動機構１２が設けられている。この起伏駆動機構１２は細長い箱形状の駆動部１３を有する。この駆動部１３の一側面と他側面とにはそれぞれ駆動源１４（一方のみ図示）が設けられている。
【００１９】
一方の駆動源１４を作動させることで、上記駆動部１３に内蔵された図示しない一方の駆動軸を介して背上げアーム（図示せず）が起伏駆動される。それによって、背上げ床部１１ａは鎖線で示すように起上させることができるるようになっている。他方の駆動源１４を作動させると、図示しない他方の駆動軸を介して脚上げアーム（図示せず）が起伏駆動され、それによって第１、第２の脚上げ床部１１ｅ，１１ｆが鎖線で示すように山形状に起上させることができるようになっている。
【００２０】
上記ベッドフレーム４の長手方向一端と他端にはそれぞれ取付け部１４が設けられている。一方の取付け部１４にはヘッドボード体１５が着脱可能に設けられ、他方の取付け部１４にはフットボード体１６が同じく着脱可能に設けられている。
【００２１】
上記起伏駆動機構１２は操作部としてのリモートコントローラ２０によって遠隔的に駆動を制御できるようになっている。このリモートコントローラ２０にはベッドフレーム４を上昇させる上昇スイッチ２１、下降させる下降スイッチ２２、背上げ床部１１ａを起上方向に駆動する背上げスイッチ２３、倒伏方向に駆動する背下げスイッチ２４、第１の脚上げ床部１１ｅを起上方向に駆動する脚上げスイッチ２５、倒伏方向に駆動する脚下げスイッチ２６、さらに背上げスイッチ２３と背下げスイッチ２４を押したときに、背上げ床部１１ａの起伏に第１の脚上げ床部１１ｅを連動させるか否かを切り換える切り換えスイッチ２７などが設けられている。
【００２２】
なお、切り換えスイッチ２７は一度押すとオン状態が維持され、再度押すとオフになり、このスイッチを除く他のスイッチ２１〜２６は押している間はオン状態で、押圧を解除するとオフ状態になる。
【００２３】
上記背上げスイッチ２３を押して背上げ床部１１ａを起上方向に駆動したとき及び背下げスイッチ２４を押して起上状態にある背上げ床部１１ａを倒伏方向に駆動したとき、この背上げ床部１１ａが所定の角度、たとえば３０度の角度になると、そのことがリミットスイッチなどの角度検出センサ３１によって検出される。
【００２４】
背上げ床部１１ａが３０度の角度になったとき、上半身が起こされた利用者の背部に掛かる荷重と、臀部に掛かる荷重とが最も小さくなることが実験によって確認された。したがって、背上げ床部１１ａを３０度の角度に起こすことで、利用者の辱瘡防止や身体に掛かる負担を軽減することができる。
【００２５】
上記角度検出センサ３１は起伏駆動される背上げ床部１１ａをリミットスイッチによって直接検出してもよいが、起伏駆動機構１２の駆動源１４によって駆動される駆動軸の角度によって間接的に検出するようにしてもよい。
【００２６】
上記角度検出センサ３１からの検出信号は、制御手段としての制御装置３２に設けられたパルス発生回路３３に入力される。上記検出信号が入力されたパルス発生回路３３からはパルス信号が出力され、そのパルス信号はタイマ回路３４に入力される。パルス信号が入力されたタイマ回路３４は作動を開始するようになっている。
【００２７】
上記タイマ回路３４からの出力はゲート回路３５に入力される。上記背上げスイッチ２３の操作による背上げ信号及び背下げスイッチ２４の操作による背下げ信号は上記ゲート回路３５を介して上記駆動源１４を作動させるためのモータ駆動回路３６に入力される。
【００２８】
上記タイマ回路３４が作動を開始してからこのタイマ回路３４に設定された時間が経過する所定時間の間は、このタイマ回路３４からの信号によって上記ゲート回路３５が遮断される。
【００２９】
それによって、上記背上げスイッチ２３及び背下げスイッチ２４をオンさせることによって発生する信号が上記ゲート回路３５によって遮断されるため、駆動源１４の動作が停止するようになっている。上記タイマ回路３４の設定時間は数秒、たとえば１〜２秒程度に設定される。
【００３０】
つまり、背上げ床部１１ａを起上或いは倒伏させる際、この背上げ床部１１ａが約３０度の角度になると、その起上或いは倒伏動作が１〜２秒間停止するようになっている。
【００３１】
なお、上記制御装置３２は上記起伏駆動機構１２の駆動部１３に設けられている。
【００３２】
つぎに、上記構成の起床式ベッド装置１によって背上げ床部１１ａを起伏駆動する場合の動作を説明する。倒伏状態にある床板体１１の背上げ床部１１ａを起上方向に駆動する場合には、リモートコントローラ２０に設けられた背上げスイッチ２３を押下する。それによって、リモートコントローラ２０からは駆動源１４を作動させる駆動信号がゲート回路３５及びモータ駆動回路３６を介して駆動源１４に入力される。それによって、駆動源１４が作動するから、上記背上げ床部１１ａが起上方向に駆動される。
【００３３】
背上げ床部１１ａの起上角度が約３０度になると、そのことが角度検出センサ３１によって検出される。この角度検出センサ３１からの検出信号はパルス発生回路３３に入力される。それによって、パルス発生回路３３からタイマ回路３４にパルス信号が出力され、このタイマ回路３４が作動を開始する。
【００３４】
タイマ回路３４が作動を開始すると、このタイマ回路３４がタイムアップする１〜２秒の間はゲート回路３５が遮断されるから、その間は背上げスイッチ２３の操作による信号がモータ駆動回路３６に入力されなくなる。そのため、背上げ床部１１ａの上昇が停止する。
【００３５】
利用者が背上げ床部１１ａをほぼ３０度の角度で停止させたいときには、背上げ床部１１ａが３０度の角度になったときにその動きが一時停止することになるから、そのときに背上げスイッチ２３の操作を解除すれば、背上げ床部１１ａをほぼ３０度の角度で停止させることができる。
【００３６】
つまり、利用者は背上げ床部１１ａの動きが停止したことを体感したときに背上げスイッチ２３の操作を解除すればよいから、背上げ床部１１ａを身体の背部や臀部に掛かる負担が最も少なくなる、ほぼ３０度の角度で容易かつ確実に停止させることができる。
【００３７】
背上げ床部１１ａがほぼ３０度の角度になったときに、背上げスイッチ２３の操作を継続すれば、この背上げ床部１１ａを３０度以上の角度に起上させることができる。
【００３８】
３０度以上の角度に起上した背上げ床部１１ａを背下げスイッチ２４を操作して倒伏方向に駆動する際、この背上げ床部１１ａがほぼ３０度の角度になると、背上げ時と同様、そのことが角度検出センサ３１によって検出される。したがって、背上げ床部１１ａを倒伏させる際にも、背上げ床部１１ａがほぼ３０度の角度になったときにタイマ回路３４が作動して背上げ床部１１ａの動きを１〜２秒間停止するから、そのときに背下げスイッチ２４の操作を解除すれば、背上げ床部１１ａをほぼ３０度の角度で停止させることができる。
【００３９】
背上げ床部１１ａがほぼ３０度に倒伏したときに、上記背下げスイッチ２４の操作を解除せずに継続すれば、背上げ床部１１ａはほぼ水平に倒伏するまで駆動されることになる。
【００４０】
このように、背上げ床部１１ａを起上させる際や３０度以上に起立した状態から倒伏させる際、ほぼ３０度の角度になると、背上げ床部１１ａの起上動作或いは倒伏動作が１〜２秒間停止する。そのため、利用者はその停止を体感できるから、そのときに背上げ或いは背下げの操作を停止することで、背上げ床部１１ａを利用者の身体に最も負担の掛からない角度で容易かつ確実に停止させることができる。
【００４１】
しかも、通常の背上げ操作や背下げ操作を行なうことで、背上げ床部１１ａをほぼ３０度の角度で停止させることができるから、そのことによっても操作性の向上が図れる。
【００４２】
また、切り換えスイッチ２８によって背上げ床部１１ａの動きに第１の脚上げ床部１１ｅを連動させるようにしたときも、同様に背上げ床部１１ａをほぼ３０度の角度で停止させることができる。
【００４３】
上記一実施の形態では背上げ床部１１ａを起立方向に駆動するときと、倒伏方向に駆動するときの両方において背上げ床部１１ａをほぼ３０度の角度で所定時間停止させるようにしたが、起立方向に駆動するときにだけ、ほぼ３０度の角度で所定時間停止させるようにしてもよい。その場合、たとえば背下げスイッチ２４の操作信号をゲート回路３５を介さずに、直接モータ駆動回路３６に入力させることで可能となる。
【００４４】
【発明の効果】
以上のようにこの発明によれば、可動床部の角度が所定の角度になったときに、この可動床部の動きを操作部の操作に係りなく一定時間停止させるようにした。
【００４５】
そのため、可動床部の動きが所定時間停止したときに、操作部の操作を解除すれば、可動床部を所定の角度にできるから、可動床部を容易かつ確実に所定の角度で位置決めすることができる。
【図面の簡単な説明】
【図１】この発明の一実施の形態に係る起床式ベッド装置の構成図。
【図２】可動床部の起伏を制御する制御装置のブロック図。
【符号の説明】
４…ベッドフレーム
１１…床板体
１１ａ…背上げ床部（可動床部）
２０…リモートコントローラ（操作部）
３２…制御装置（制御手段）
３１…角度検出センサ（検出部）
３４…タイマ回路
３５…ゲート回路
【図１】
2004065315.tif 000003
【図２】
2004065315.tif 000004